【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
生成物を輸送および／または保管するための、特にクライオスタット型の装置（１０）であって、該装置（１０）は、内容積（１６）を画定する壁を備える外部パッケージ構造（１４）を有し、内容積（１６）の中に、二重壁の断熱球状物（１２）があり、該二重壁の断熱球状物（１２）の本体（３２）は、外側壁（３４）と内容積（３８）を画定する内壁（３６）とによって形成され、球状物（１２）は上方充填開口部（４２）を画定する上方首部（４０）を備え、該装置（１０）は、該球状物（１２）の外壁（３４）と該パッケージ構造（１４）の壁（２４、２２）との間で接触せずに、球状物（１２）がパッケージ構造（１４、１８、２２）によって画定される該内容積（１６）内に吊設されるように、該球状物（１２）の首部（４０）によって該球状物（１２）を垂直に懸架するために、該球状物（１２）の内壁（３６）と係合可能である取設手段（４８）を含む球状物（１２）支持手段（４６）を備えており、該装置は、該球状物（１２）の懸架支持のための手段（４６）が、該パッケージ（１４）の該壁の少なくとも１つ（２０）を含むことを特徴とする、装置。
【請求項２】
球状物（１２）の支持壁（２０、４６）は弾性変形能力を呈することにより、特に衝撃または落下の際に、懸架された球状物（１２）の外壁（３４）がパッケージ構造（１４）の壁に接触することなく、パッケージ内容積（１６）における球状物（１２）の制限された移動を可能にすることを特徴とする、請求項１に記載の装置（１０）。
【請求項３】
支持壁（２０、４６）は弾性的に変形することが可能であって、特に前記装置の落下の際に、パッケージ構造（１４）が受ける衝撃から生じる機械力の全部または一部を吸収することにより、球状物（１２）へのそのような力の伝達を防止または制限することを特徴とする、請求項１または請求項２に記載の装置（１０）。
【請求項４】
球状物（１２）の懸架による取設手段（４８）を備える支持壁（４６）は、多面体または円筒形型のパッケージ構造（１４）のカバー（２０）であることを特徴とする、請求項１から請求項３のいずれか一項に記載の装置（１０）。
【請求項５】
支持壁（２０、４６）は、少なくとも部分的に球状物（１２）の上方開口部（４２）を通って延出し、球状物（１２）の内容積（３８）内へと導くオリフィス（５６）を画定する管状要素（５０）を備えていることと、取設手段（４８）は管状要素（５０）に接続されることとを特徴とする、請求項１から請求項４のいずれか一項に記載の装置（１０）。
【請求項６】
取設手段（４８）は後退位置と係止位置との間で可動である態様で搭載されることと、装置（１０）は制御構成要素（７０）を備え、該制御構成要素（７０）の管状要素（５０）のオリフィス（５６）内への下方垂直導入は、該係止位置への該取設手段（４８）の変位を生じさせ、制御構成要素（７０）は取設手段（４８）を該係止位置に掛止可能であることとを特徴とする、請求項５に記載の装置（１０）。
【請求項７】
装置（１０）は制御構成要素（７０）の中に垂直に導入されることが意図される閉鎖構成要素（９４）を備えることにより、単一の使用のための装置の完全性を保証することを特徴とする、請求項６に記載の装置（１０）。
【請求項８】
閉鎖構成要素（９４）は、フランジ（９８）を備え、フランジ（９８）は制御構成要素（７０）のフランジ（８４）と相補的にその外側垂直面上に制御構成要素（７０）のフランジと係合可能な環状係止リング（１０２）を備え、環状係止リング（１０２）は制御構成要素（７０）と係合可能であり、制御構成要素（７０）の内側垂直面は少なくとも１つの係止戻り止め（１０４）を備え、それにより、閉鎖構成要素（９４）および制御構成要素（７０）を不可逆的に係止することを特徴とする、請求項７に記載の装置（１０）。
【請求項９】
装置（１０）は、制御構成要素（７０）の位置決め手段（９２）を備え、位置決め手段（９２）は、衝撃または落下の際に力が内壁（３６）全体に分散されるように、中心位置にそれを維持し、かつ、構成要素（７０）と内壁（３６）との間の機械的接続を確保することが可能であることを特徴とする、請求項６または８に記載の装置（１０）。
【請求項１０】
装置（１０）は、液体窒素等の低温流体を吸収することが可能である吸収手段（９２）を備え、該吸収手段は、球状物（１２）の内容積（３８）の全部または一部の中に配置されることを特徴とする、請求項１から請求項９のいずれか一項に記載の装置（１０）。
【請求項１１】
吸収手段（９２）は、制御構成要素（７０）の前記位置決め手段を構成することを特徴とする、請求項９と組み合わせた請求項１０に記載の装置（１０）。
【手続補正２】
【補正対象書類名】明細書
【補正対象項目名】００１９
【補正方法】変更
【補正の内容】
【００１９】
概して、複合または類似の材料から成り、熱の逃げ道が形成されることを防止するリングの抵抗は、そのような力、特に、ねじりを支持するには十分ではない。これが、球状物の二重壁の内壁と外壁との間の接触点または接触領域のみを構成する接続リングの領域において、多くの破壊が顕著であることの理由である。
例えば、本発明は以下の項目を提供する。
（項目１）
生成物を輸送および／または保管するための装置（１０）、特にクライオスタット型のものであって、装置（１０）は、内容積（１６）を画定する壁を備える外部パッケージ構造（１４）を有し、内容積（１６）の中に外側壁（３４）と内容積（３８）を画定する内壁（３６）とによって形成される本体（３２）を有する二重壁の断熱球状物（１２）があり、球状物（１２）は上方充填開口部（４２）を画定する上方首部（４０）を備え、装置（１０）は、球状物（１２）の外壁（３４）とパッケージ構造（１４）の壁（２４、２２）との間の接触を伴わずに、球状物（１２）がパッケージ構造（１４、１８、２２）によって画定される内容積（１６）内の空間の中にフリーの状態で吊設されるように、それの首部（４０）によって球状物（１２）を垂直に懸架するために、球状物（１２）の内壁（３６）のみと係合可能である取設手段（４８）を含む球状物（１２）支持手段（４６）を備えており、球状物（１２）の懸架支持のための手段（４６）は、パッケージ（１４）の該壁の少なくとも１つ（２０）から成ることを特徴とする、装置。
（項目２）
球状物（１２）の上記支持壁（２０、４６）は弾性変形能力を呈することにより、特に衝撃または落下の際に、懸架された球状物（１２）の外壁（３４）がパッケージ構造（１４）の壁に接触することなく、パッケージ内容積（１６）内の球状物（１２）の制限された移動を可能にすることを特徴とする、項目１に記載の装置（１０）。
（項目３）
支持壁（２０、４６）は弾性的に変形することが可能であって、パッケージ構造（１４）が受ける衝撃から生じる機械力の全部または一部を吸収することにより、特に上記装置の落下の際に、球状物（１２）へのそのような力の伝達を防止または制限することを特徴とする、項目１または項目２に記載の装置（１０）。
（項目４）
球状物（１２）の懸架による取設手段（４８）を備える支持壁（４６）は、多面体または円筒形型のパッケージ構造（１４）のカバー（２０）であることを特徴とする、項目１から項目３のいずれか一項に記載の装置（１０）。
（項目５）
支持壁（２０、４６）は、少なくとも部分的に球状物（１２）の上方開口部（４２）を通って延出し、球状物（１２）の内容積（３８）内へと導くオリフィス（５６）を画定する管状要素（５０）を備え、取設手段（４８）は管状要素（５０）に接続されることを特徴とする、項目１から項目４のいずれか一項に記載の装置（１０）。
（項目６）
取設手段（４８）は後退位置と係止位置との間で可動である態様で搭載され、装置（１０）は制御構成要素（７０）を備え、制御構成要素（７０）の管状要素（５０）のオリフィス（５６）内へのその下方垂直導入は、該係止位置への該取設手段（４８）の変位を生じさせ、制御構成要素（７０）は取設手段（４８）を該係止位置に掛止可能であることを特徴とする、項目５に記載の装置（１０）。
（項目７）
装置（１０）は制御構成要素（７０）の中に垂直に導入されることが意図される閉鎖構成要素（９４）を備えることにより、単回使用のための装置の完全性を保証することを特徴とする、項目６に記載の装置（１０）。
（項目８）
閉鎖構成要素（９４）は、フランジ（９８）を備え、フランジ（９８）は制御構成要素（７０）のフランジ（８４）と相補的にその外側垂直面上に制御構成要素（７０）のフランジと係合可能な環状係止リング（１０２）を備え、環状係止リング（１０２）は制御構成要素（７０）と係合可能であり、制御構成要素（７０）の内側垂直面は少なくとも１つの係止戻り止め（１０４）を備え、それにより、閉鎖構成要素（９４）および制御構成要素（７０）を不可逆的に係止することを特徴とする、項目７に記載の装置（１０）。
（項目９）
装置（１０）は、制御構成要素（７０）の位置決め手段（９２）を備え、位置決め手段（９２）は、衝撃または落下の際に力が内壁（３６）全体に分散されるように、中心位置にそれを維持し、かつ、構成要素（７０）と内壁（３６）との間の機械的接続を確保することが可能であることを特徴とする、項目６または８に記載の装置（１０）。
（項目１０）
装置（１０）は、液体窒素等の低温流体を吸収することが可能である吸収手段（９２）を備え、該吸収手段は、球状物（１２）の内容積（３８）の全部または一部の中に配置されることを特徴とする、項目１から項目９のいずれか一項に記載の装置（１０）。
（項目１１）
吸収手段（９２）は、制御構成要素（７０）の上記位置決め手段を構成することを特徴とする、項目９と組み合わせた項目１０に記載の装置（１０）